(57)【要約】【課題】反射部のカラーフィルタ基板側にセルギャップ調整用のトップコート層が形成された半透過型液晶表示パネルにおいて、反射部と透過部の近傍で生じる光漏れを防止し、コントラストが良好で、表示品質の良好なＶＡ方式の半透過型液晶表示パネルを提供すること。【解決手段】本発明の半透過型液晶表示パネル１０Ａは、サブ画素毎に、透過部１６と反射部１５とを有し、反射部１５のカラーフィルタ基板ＣＦ側にセルギャップ調整用のトップコート層２７が形成された半透過型液晶表示パネル１０Ｃにおいて、カラーフィルタ基板ＣＦには、平面視で少なくともトップコート層２７の透過部１６と反射部１５の境界側の端により形成される段差の部分を遮光するように重畳配置されたブラックマトリクス３０３が形成されていることを特徴とする。【選択図】  図３
2009008876.tif 000002
【特許請求の範囲】
【請求項１】
サブ画素毎に、透過部と反射部とを有し、前記反射部のカラーフィルタ基板側にセルギ
ャップ調整用のトップコート層が形成された半透過型液晶表示パネルにおいて、
前記カラーフィルタ基板には、平面視で少なくとも前記トップコート層の前記透過部と
反射部の境界側の端により形成される段差の部分を遮光するように重畳配置されたブラッ
クマトリクスが形成されていることを特徴とする半透過型液晶表示パネル。
【請求項２】
前記トップコート層はサブ画素毎に前記トップコート層を区画するようにスリットが形
成されており、前記ブラックマトリクスは更に平面視で前記トップコート層のスリットに
よって生じた段差部分を遮光するように重畳配置されていることを特徴とする請求項１に
記載の半透過型液晶表示パネル。
【請求項３】
前記トップコート層は複数のサブ画素毎に前記トップコート層を区画するようにスリッ
トが形成されており、前記ブラックマトリクスは更に平面視で前記トップコート層のスリ
ットによって生じた段差部分を遮光するように重畳配置されていることを特徴とする請求
項１に記載の半透過型液晶表示パネル。
【請求項４】
サブ画素毎に、透過部と反射部とを有し、前記反射部のカラーフィルタ基板側にセルギ
ャップ調整用のトップコート層が形成された半透過型液晶表示パネルにおいて、
前記カラーフィルタ基板には、平面視において前記トップコート層の端部周辺に重畳配
置されたブラックマトリクスが形成されていることを特徴とする半透過型液晶表示パネル
。
【請求項５】
前記トップコート層は隣接する複数のサブ画素で連続して一体に形成されていることを
特徴とする請求項４に記載の半透過型液晶表示パネル。
【請求項６】
前記反射部のフィルタ層は無色又は単色であることを特徴とする請求項１〜５の何れか
に記載の半透過型液晶表示パネル。
【請求項７】
前記ブラックマトリクスは更にサブ画素毎に平面視で前記透過部の隣接するカラーフィ
ルタ層間を遮光するように重畳配置されていることを特徴とする請求項１〜６の何れかに
記載の半透過型液晶表示パネル。
【請求項８】
前記カラーフィルタ基板の少なくとも前記透過部に対応する位置には液晶分子の配向規
制手段が形成されていることを特徴とする請求項１〜７のいずれかに記載の半透過型液晶
表示パネル。
【請求項９】
請求項１〜８のいずれかに記載の半透過型液晶表示パネルを備えたことを特徴とする電
子機器。
【発明の詳細な説明】
【技術分野】
【０００１】
本発明は、半透過型液晶表示パネル及びこの半透過型液晶表示パネルを使用した電子機
器に関する。
【背景技術】
【０００２】
近年の携帯電話等に代表される携帯型の機器に使用される液晶表示パネルとしては、透
過型及び反射型の性質を併せ持つ半透過型液晶表示パネルが多く使用されるようになって
いる。この半透過型液晶表示パネルは、個々の画素内に透明電極を備えた透過部と反射層
を備えた反射部を有している。そして、暗い場所においてはバックライトを点灯して個々
の画素の透過部を利用して画像を表示し、明るい場所においてはバックライトを点灯する
ことなく個々の画素の反射部において外光を利用して画像を表示している。そのため、半
透過型液晶表示パネルを使用した電子機器は、常時バックライトを点灯する必要がないの
で、消費電力を大幅に低減させることができるという利点を有している。
【０００３】
また、半透過型液晶表示パネルは、反射部における光と透過部における光との光路差を
調節する目的で、反射部のカラーフィルタ基板側に透明な層からなるいわゆるトップコー
ト層を設けたものが知られている。このようなトップコート層を形成すると、カラーフィ
ルタ基板側に配向膜形成材料をローラにより塗布すると余分な配向膜形成材料がトップコ
ート層の反射部と透過部の境界側に停留し、配向膜の膜厚ムラが発生する。そのため、下
記特許文献１には、サブ画素毎に信号線に沿ってトップコート層にスリットを形成するこ
とによって配向膜形成材料の停留を抑制すると共に、このスリットに沿ってブラックマト
リクスを形成して、スリットによる表示品位の低下を防止するようになした半透過型液晶
表示パネルの発明が開示されている。
【特許文献１】特開２００６−２６７９９３号公報
【発明の開示】
【発明が解決しようとする課題】
【０００４】
しかしながら、このトップコート層を半透過型液晶表示パネルに適用すると、反射部に
トップコート層を形成したことにより、反射部と透過部との境界に位置するトップコート
層の周縁の段差の影響で液晶分子の配向が乱れ、光漏れが生じるという問題があった。こ
の光漏れの原因について図８を用いて説明する。
【０００５】
なお、図８は従来のＶＡ(垂直配向：Vertically Aligned)方式の半透過型液晶表示パネ
ルにおける反射部と透過部の境界付近の模式断面図である。
【０００６】
従来の半透過型液晶表示パネル５０は、透明基板５１の表面に補助容量線５２及び層間
膜５３が形成されている。この層間膜５３の表面には反射部において反射板５４が形成さ
れ、この反射板５４の表面及び透過部の層間膜５３の表面は例えばＩＴＯ(Indium Tin Ox
ide)ないしＩＺＯ（Indium Zinc Oxide）からなる画素電極５５が形成されている。そし
て、この画素電極５５の表面には垂直配向膜（図示せず）が形成されている。また、対向
するカラーフィルタ基板側は透明基板５６の表面にカラーフィルタ層５７が形成され、そ
の上にトップコート層５８が反射部に形成されている。なお、カラーフィルタ基板側の共
通電極と垂直配向膜とはともに図示していないが、当然に形成されるものである。
【０００７】
このような構成の半透過型液晶表示パネル５０において、反射板５４の周縁と補助容量
線５２とを重ねるように配置することで、破線の丸で示すトップコート層５８の周縁の段
差部５９と補助容量線５２とを重ねるように配置し、バックライトからの光６０が、トッ
プコート層５８の段差部５９に届かないようにして、光漏れを防いでいる。なお、反射板
５４をトップコート層５８の段差部５９に重ねてしまうと、反射板５４での反射光により
光漏れが生じてしまう。
【０００８】
また、補助容量線５２と反射板５４とが平面視で重なっている場合であっても、重なる
領域が僅かだと、光６０が漏れてくることがある。これは、半透過型液晶表示パネル５０
においては、反射板５４の下に層間膜５３が形成されており、更に、反射板５４には通常
反射光の視認性を良好にするために凹凸が形成される（図示省略）。そして、層間膜５３
は、この凹凸を形成するため設けられるものであり、ある程度厚いものであるため、補助
容量線５２と反射板５４とが僅かしか重なっていないと、層間膜５３を通過する光６０が
屈折して漏れてしまうからである。
【０００９】
したがって、反射板５４の形成時にずれることがあることを考えて、補助容量線５２を
太く形成しておくということも考えられる。しかしながら、近年の携帯型の機器に使用さ
れる液晶表示パネルは高精細であるため、個々の画素のサイズが非常に小さくなっている
。そのため、補助容量線の太さは、信号線との間に寄生容量が生じるのを防止するため及
びスイッチング素子の配置スペースを確保するためなどの理由で、必要以上に太くするこ
とができない。
【００１０】
本発明は、このような従来技術の問題点を解決すべくなされたものであって、特に、カ
ラーフィルタ基板側の反射部にトップコート構造を有する半透過型液晶表示パネルにおい
て、トップコート層の段差で生じる光漏れをより有効に防止し、コントラストが良好で、
表示品質の良好な半透過型液晶表示パネルを提供することを目的とする。
【課題を解決するための手段】
【００１１】
上記目的を達成するため、本発明の半透過型液晶表示パネルは、サブ画素毎に、透過部
と反射部とを有し、前記反射部のカラーフィルタ基板側にセルギャップ調整用のトップコ
ート層が形成された半透過型液晶表示パネルにおいて、前記カラーフィルタ基板には、平
面視で少なくとも前記トップコート層の前記透過部と反射部の境界側の端により形成され
る段差の部分を遮光するように重畳配置されたブラックマトリクスが形成されていること
を特徴とする。
【００１２】
本発明の半透過型液晶表示パネルによれば、トップコート層の反射部と透過部との境界
側の段差部分で生じる液晶分子の配向の乱れに基づく光漏れは、平面視で少なくともトッ
プコート層の透過部と反射部の境界側の端により形成される段差の部分を遮光するように
重畳配置されたブラックマトリクスよって遮光される。したがって、本発明の半透過型液
晶表示パネルによれば、反射部と透過部との境界付近からの光漏れが生じ難くなり、コン
トラストが良好で、表示品質の良好な半透過型液晶表示パネルが得られる。
【００１３】
また、本発明の半透過型液晶表示パネルにおいては、記トップコート層はサブ画素毎に
前記トップコート層を区画するようにスリットが形成されており、前記ブラックマトリク
スは更に平面視で前記トップコート層のスリットによって生じた段差部分を遮光するよう
に重畳配置されていることが好ましい。
【００１４】
トップコート層にサブ画素毎にスリットを形成すると、カラーフィルタ基板側に配向膜
形成材料をローラにより塗布しても、配向膜形成材料はトップコート層の反射部と透過部
の境界側に停留することがなく、配向膜の膜厚ムラが生じ難くなる。加えて、ブラックマ
トリクスは更に平面視でトップコート層のスリットによって生じた段差部分を遮光するよ
うに重畳配置されているので、スリットにより生じた段差部での液晶分子の配向の乱れに
起因する光漏れを防止することができる。そのため、コントラスト高く、表示画質が良好
な半透過型液晶表示パネルが得られる。
【００１５】
また、本発明の半透過型液晶表示パネルにおいては、前記トップコート層は複数のサブ
画素毎に前記トップコート層を区画するようにスリットが形成されており、前記ブラック
マトリクスは更に平面視で前記トップコート層のスリットによって生じた段差部分を遮光
するように重畳配置されていることが好ましい。
【００１６】
トップコート層に複数のサブ画素毎にスリットを形成すると、複数のサブ画素毎にトッ
プコート層が一体に形成されていることになり、この複数のサブ画素間にはブラックマト
リクスが存在していない。従って、反射部の反射率を高めることができ、バックライトを
オフ状態とした反射表示時の視認性がより良好となる。なお、このスリット及びブラック
マトリクスは、１画素毎に形成しても、数画素毎に形成してもよい。
【００１７】
また、本発明の半透過型液晶表示パネルは、サブ画素毎に、透過部と反射部とを有し、
前記反射部のカラーフィルタ基板側にセルギャップ調整用のトップコート層が形成された
半透過型液晶表示パネルにおいて、前記カラーフィルタ基板には、平面視において前記ト
ップコート層の端部周辺に重畳配置されたブラックマトリクスが形成されていることを特
徴とする。
【００１８】
トップコート層の端部周辺にブラックマトリクスを重畳配置することで、トップコート
層の層厚から生じる周辺の段差部分がブラックマトリクスにより遮光される。したがって
、本発明の半透過型液晶表示パネルによれば、トップコート層の段差による反射部と透過
部との境界付近からの光漏れなど、トップコート層の段差に起因する光漏れが生じ難くな
り、コントラストが良好で、表示品位の良好な半透過型液晶表示パネルが得られる。
【００１９】
また、本発明の半透過型液晶表示パネルにおいては、前記トップコート層は隣接する複
数のサブ画素で連続して一体に形成されていることが好ましい。
【００２０】
トップコート層は複数のサブ画素間に跨って一体となっているので、サブ画素毎にトッ
プコート層の端部周辺にブラックマトリクスを形成するよりも、光の利用効率が高くなる
。更には隣接するトップコート層の間で生じるスリットを介して、反射部と透過部との境
界部分で生じる配向膜形成材料の停留が低減されるので、配向膜の膜厚ムラが生じ難くな
る。
【００２１】
また、本発明の半透過型液晶表示パネルにおいては、前記反射部のフィルタ層は無色又
は単色であることが好ましい。
【００２２】
反射部のフィルタ層が無色又は単色であると、バックライトをオフ状態とした反射表示
時には、モノクロないし単色モノクロに近い表示となるが、反射部にカラーフィルタ層を
形成した場合と比すると同一面積でも反射率及びコントラストが高くなる。そのため、反
射部の面積を小さくしても視認性が良好となるので、特に高精細化された画像表示用とし
て透過特性を重視する小型の半透過型液晶表示パネルとして有用である。
【００２３】
また、本発明の半透過型液晶表示パネルにおいては、前記ブラックマトリクスは更にサ
ブ画素毎に平面視で前記透過部の隣接するカラーフィルタ層間を遮光するように重畳配置
されていることが好ましい。
【００２４】
アレイ基板の前記カラーフィルタ層間に対応する位置には信号線が存在しているため、
本来透過部の隣接するカラーフィルタ層間から光漏れすることはない。しかし、隣接する
カラーフィルタ層間で、各カラーフィルタ層の貼り合わせの際にズレ等が生じて混色を生
じる可能性がある。そのため、ブラックマトリクスをサブ画素毎に平面視で透過部の隣接
するカラーフィルタ層間を遮光するように重畳配置することにより、このような光漏れを
抑制することができるようになる。その結果、コントラストが良好で、表示品質の良好な
半透過型液晶表示パネルが得られる。
【００２５】
また、本発明の半透過型液晶表示パネルにおいては、前記カラーフィルタ基板の少なく
とも前記透過部に対応する位置には液晶分子の配向規制手段が形成されていることが好ま
しい。
【００２６】
このような構成とすると、各画素内で液晶分子の配向方向を複数の異なる方向に分割さ
れるように配向規制することができるため、広視野角を達成できる半透過型液晶表示パネ
ルが得られる。なお、この配向規制手段は透過部だけでなく反射部に形成してもよい。ま
た、この配向規制手段としては、共通電極の表面に形成した突起又は共通電極に形成した
スリットとすることができる。
【００２７】
また、本発明の電子機器は、上記本発明の半透過型液晶表示パネルを備えていることを
特徴とする。
【００２８】
本発明の電子機器によれば、コントラストが良好で、表示品質の良好な半透過型液晶表
示パネルを備えた電子機器が得られる。
【発明を実施するための最良の形態】
【００２９】
以下、実施例及び図面を参照にして本発明を実施するための最良の形態を説明するが、
以下に示す実施例は、本発明をここに記載したものに限定することを意図するものではな
く、本発明は特許請求の範囲に示した技術思想を逸脱することなく種々の変更を行ったも
のにも均しく適用し得るものである。
【００３０】
なお、図１は半透過型液晶表示パネルのアレイ基板の平面図である。図２は実施例１の
半透過型液晶表示パネルのカラーフィルタ基板側から見た平面図である。図３は図２のII
I−III線に沿った断面図である。図４は図２のIV−IV線に沿った断面図である。図５は実
施例２の半透過型液晶表示パネルのカラーフィルタ基板側から見た平面図である。図６は
実施例３の半透過型液晶表示パネルのカラーフィルタ基板側から見た平面図である。また
、図７Ａは本発明の半透過型液晶表示パネルを搭載したパーソナルコンピュータを示す図
であり、図７Ｂは同じく携帯電話機を示す図である。
【実施例１】
【００３１】
実施例１の半透過型液晶表示パネルを図１〜図４を用いて説明する。この実施例１の半
透過型液晶表示パネル１０Ａのアレイ基板ＡＲは、ガラス基板等の透明基板１１上に複数
の走査線１２及び信号線１３がそれぞれ直接ないし無機絶縁膜を介してマトリクス状に形
成されている。ここで、走査線１２と信号線１３とで囲まれた領域が１サブ画素に相当し
、スイッチング素子となるＴＦＴ（Thin Film Transistor）（図示せず）がそれぞれの画
素毎に形成されている。
【００３２】
そして、走査線１２、信号線１３等を覆うようにして、反射部１５においては表面に微
細な凹凸部が形成され、透過部１６においては表面が平坦に形成された有機絶縁膜からな
る層間膜１７が積層されている。なお、図１〜図４においては反射部１５の層間膜１７の
凹凸部は省略してある。この層間膜１７の表面には、反射部１５に例えばアルミニウム金
属からなる反射板１８が設けられ、この反射板１８の表面及び透過部１６の層間膜１７の
表面には例えばＩＴＯないしＩＺＯからなる透明な画素電極１９が形成されている。更に
、画素電極１９の表面及び露出している層間膜１７の表面には総て垂直配向膜２２が積層
されている。
【００３３】
そして、反射部１５側においては、層間膜１７の反射板１８が存在する位置の下側に補
助容量線２３及びこの補助容量線２３よりも幅が広い補助容量電極２４が、反射板１８よ
りも透過部１６の画素電極１９側へ延在するように配置されている。このように配置して
いるのは、後述するトップコート層２７の段差部で生じる液晶分子の配向による、バック
ライト光の光漏れを防止するためである。また補助容量電極２４と容量を形成する対向側
の電極との位置ずれが生じることで容量が減少してしまうことを防止する効果もある。ま
た、反射部１５の反射板１８及び画素電極１９は、平面視で隣接する画素の反射板及び画
素電極とは接しないで、かつ走査線１２及び信号線１３とは同じく光漏れを防止するため
に若干重なるようにして形成されている。更に、透過部１６側における画素電極１９は隣
接する画素の画素電極及び反射板とは接しないでかつ走査線１２及び信号線１３と若干重
なるように形成されている。
【００３４】
また、カラーフィルタ基板ＣＦには、図２に示すように、ガラス基板等の透明基板２５
の透過部１６にはサブ画素毎に例えば赤（Ｒ）、緑（Ｇ）、青（Ｂ）等のストライプ状の
カラーフィルタ層２６１が形成されており、また、反射部１５には無色又は任意の単色（
Ｗ）のフィルタ層２６２が形成されている。すなわち、サブ画素毎の反射部１５は走査線
１２に沿って配置されているから、この反射部１５のフィルタ層２６２は走査線１２に平
行にストライプ状に設けられていることになる。なお、反射部１５のフィルタ層２６２を
無色又は任意の単色（Ｗ）とすると、バックライトをオフ状態とした反射表示時には、モ
ノクロないし単色モノクロ表示となるが、透過部１６と同じカラーフィルタ層とした場合
と比すると視認性が格段に向上する。
【００３５】
更に、反射部１５と透過部１６とで同じ厚さのカラーフィルタ層を使用するため、反射
部１５のカラーフィルタ層２６２の表面を覆うように、所定の厚さのトップコート層２７
が設けられている。このトップコート層２７は、反射部１５全体に亘って走査線１２に沿
ってストライプ状に設けられており、その厚さは反射部１５における液晶層の厚さ、いわ
ゆるセルギャップｄ１が透過部１６のセルギャップｄ２の半分となるように、すなわちｄ
１＝（ｄ２）／２となるようにされている。加えて、透過部のカラーフィルタ層２６１及
びトップコート層２７等の表面には共通電極２８及び垂直配向膜２９が順次積層されてい
る。また、このトップコート層２７の反射部１５と透過部１６との境界側の端により形成
される段差の部分は、反射板１８が存在していない場所に位置している。
【００３６】
そして、上述のアレイ基板ＡＲ及びカラーフィルタ基板ＣＦを互いに対向させ、両基板
の周囲にシール材を設けることにより両基板を貼り合せ、両基板間に負の誘電異方性を有
する液晶３１を充填することにより実施例１のＶＡ方式の半透過型液晶表示パネル１０Ａ
が得られる。なお、アレイ基板ＡＲの下方には、図示しない周知の光源、導光板、拡散シ
ート等を有するバックライト装置が配置されている。この半透過型液晶表示パネル１０Ａ
においては、画素電極１９と共通電極２８の間に電界が印加されない状態においては、液
晶３１の分子は長軸が画素電極１９側の垂直配向膜２２及び共通電極２８側の垂直配向膜
２９の表面に対して垂直をなすように配向されているため、光が透過しない状態となる。
また、画素電極１９と共通電極２８の間に電界が印加されたときには光が透過するように
なる。
【００３７】
この実施例１の半透過型液晶表示パネル１０Ａのカラーフィルタ基板ＣＦにおいては、
図４に示したように、信号線１３に対向する位置のトップコート層２７にはスリット３２
が形成されている。すなわち、走査線１２に沿ってストライプ状に形成されたトップコー
ト層２７はサブ画素毎にスリット３２によって区画された状態となっている。このように
トップコート層２７の信号線１３に対向する位置にスリット３２を形成したのは、配向膜
形成材料をローラにより塗布した際に、配向膜形成材料がこのトップコート層２７の反射
部１５と透過部１６との境界側の端により形成される段差の部分に停留しないようにする
ためである。
【００３８】
更に、実施例１の半透過型液晶表示パネル１０Ａのカラーフィルタ基板ＣＦには、図２
に示すように、平面視で、
（１）サブ画素毎に、信号線１３上に位置し、透過部１６のカラーフィルタ層２６１間を
被覆するブラックマトリクス３０１と、
（２）サブ画素毎に、反射部１５及び透過部１６の境界領域を被覆するブラックマトリク
ス３０２と、
（３）サブ画素毎に、走査線１２上に位置し、透過部１６のカラーフィルタ層２６１と反
射部１５のフィルタ層２６２との間を被覆するブラックマトリクス３０３と、
（４）サブ画素毎に、信号線１３上に位置し、反射部１５のフィルタ層２６２間を被覆す
るブラックマトリクス３０４と、
が一体に設けられている。
【００３９】
このようなブラックマトリクス配置とすることにより、トップコート層２７の反射部１
５と透過部１６との境界側の端により形成される段差の部分はブラックマトリクス３０２
によって遮光されているので、反射部１５と透過部１６との境界付近からの光漏れが生じ
難くなる。なお、このブラックマトリクス３０２の一例としては幅を約４μｍとすること
ができる。また、サブ画素毎に平面視で透過部１６の隣接するカラーフィルタ層２６１間
がブラックマトリクス３０１で遮光されているので、隣接するカラーフィルタ層２６１間
で各カラーフィルタ層２６１の貼り合わせの際にズレ等が生じて混色を生じても、この混
色部分からの光漏れを抑制することができるようになる。
【００４０】
なお、実施例１の半透過型液晶表示パネル１０Ａでは反射部１５のフィルタ層２６２と
して無色ないしは単色のフィルタ層を用いた例を示したが、透過部１６のカラーフィルタ
層を同色のカラーフィルタ層としてもよい。また、実施例１の半透過型液晶表示パネル１
０Ａでは、トップコート層２７にサブ画素毎にスリット３２を形成したため、図４に示し
たように、スリット３２によってトップコート層２７の信号線１３側に段差が形成され、
また、トップコート層２７の走査線１２側にも段差が生じる。つまり、トップコート層２
７の周辺は端部が段差となっている。しかしながら、これらの段差の部分は、走査線１２
上に位置し段差を覆うブラックマトリクス３０３と、信号線１３上に位置し段差を覆うブ
ラックマトリクス３０４とによって遮光されているので、これらの段差の部分で生じる液
晶分子の配向の乱れに起因する光漏れを防止することができる。そのため、実施例１の半
透過型液晶表示パネル１０Ａによれば、コントラストが高く、表示品質の良好な半透過型
液晶表示パネルが得られる。
【実施例２】
【００４１】
実施例２の半透過型液晶表示パネル１０Ｂを図５を用いて説明する。なお、実施例２の
半透過型液晶表示パネル１０Ｂにおいては実施例１の半透過型液晶表示パネル１０Ａと同
一構成部分には同一の参照符号を付与してその詳細な説明は省略する。また、実施例２の
半透過型液晶表示パネル１０Ｂにおける図２のIII−III線に沿った部分の断面図及びIV−
IV線に沿った部分の断面図は、それぞれ図３及び図４に示した構成と同一であるので、必
要に応じて図３及び図４を援用して説明する。
【００４２】
実施例２の半透過型液晶表示パネル１０Ｂが実施例１の半透過型液晶表示パネル１０Ａ
と構成が相違する点は、カラーフィルタ基板ＣＦのトップコート層２７に形成するスリッ
ト３２及び信号線１３上に位置する反射部１５の画素電極１９間を被覆するブラックマト
リクス３０４を１画素毎（３サブ画素毎）に形成した点である。つまり、トップコート層
２７が、３つのサブ画素を単位として連続して一体に形成されており、ブラックマトリク
スが一体で形成されているトップコート層２７の周囲と重畳するように配置されている。
【００４３】
このように、実施例２の半透過型液晶表示パネル１０Ｂによれば、１画素毎にトップコ
ート層２７が一体に形成されていることになり、また、複数のサブ画素間にはブラックマ
トリクス３０４が存在していない部分が生じている。従って、反射部１５は、平面視で反
射板１８及び画素電極１９がブラックマトリクス３０４によって遮光される面積が減少す
るため、反射部の開口率が大きくなる。加えて、フィルタ層２６２が無色又は任意の単色
（Ｗ）であることと相まって、バックライトをオフ状態とした反射表示時の視認性がより
良好となる。
【００４４】
なお、ここではトップコート層２７に形成するスリット３２及びブラックマトリクス３
０４を１画素毎に形成した例を示したが、数画素毎に形成してもよい。したがって、表示
領域において、走査線１２の方向沿ってトップコート層２７を一体で形成することで一つ
のトップコート層２７とし、そのトップコート層２７の周囲にブラックマトリクスを重畳
配置してもよい。ただし、スリット３２の数が少ないと配向膜形成材料をローラにより塗
布した際に、配向膜形成材料がトップコート層２７の反射部１５と透過部１６との境界側
の端により形成される段差の部分に停留しやすくなるので好ましくない。
【実施例３】
【００４５】
実施例１及び２に係る半透過型液晶表示パネル１０Ａ及び１０Ｂとしては、カラーフィ
ルタ基板ＣＦに垂直配向膜２９以外に配向規制手段を設けない例を示した。しかしながら
、より広視野角とするために、少なくともカラーフィルタ基板ＣＦの透過部１６に対応す
る位置に配向規制手段を設けることもできる。実施例１の半透過型液晶表示パネル１０Ａ
に対し、反射部１５及び透過部１６のカラーフィルタ基板ＣＦに配向規制手段を形成した
実施例３の液晶表示パネル１０Ｃを図６を用いて説明する。なお、実施例３の半透過型液
晶表示パネル１０Ｃにおいては実施例１の半透過型液晶表示パネル１０Ａと同一構成部分
には同一の参照符号を付与してその詳細な説明は省略する。また、実施例３の半透過型液
晶表示パネル１０Ｃにおける図２のIII−III線に沿った部分の断面図及びIV−IV線に沿っ
た部分の断面図は、それぞれ図３及び図４に示した構成と同一であるので、必要に応じて
図３及び図４を援用して説明する。
【００４６】
実施例３の半透過型液晶表示パネル１０Ｃが実施例１の半透過型液晶表示パネル１０Ａ
と構成が相違する点は、カラーフィルタ基板ＣＦの透過部１６側に平面視で長十字状の突
起からなる第１の配向規制手段３３１を、反射部１５側に平面視で円形状の突起からなる
第２の配向規制手段３３２を形成した点である。この第１及び第２の配向規制手段３３１
ないし３３２は、カラーフィルタ基板ＣＦの共通電極２８と垂直配向膜２９との間に形成
すればよい。
【００４７】
このようにカラーフィルタ基板ＣＦに配向規制手段３３１ないし３３２を形成すると、
各画素内で液晶３１の分子の配向方向を複数の異なる方向に分割することができるため、
広視野角を達成できるＶＡ方式の半透過型液晶表示パネル１０Ｃが得られる。なお、この
配向規制手段３３１ないし３３２は、必ずしも透過部１６及び反射部１５の両者に形成す
る必要はなく、少なくとも透過部１６に形成すればよい。また、この配向規制手段３３１
ないし３３２の平面視の形状としては、例えば、長十字状、円形状の外に、長円形状、バ
ー状等とすることもでき、また、突起状の配向規制手段３３１ないし３３２に変えて共通
電極２８にスリットを形成してもよい。
【００４８】
また、実施例３の半透過型液晶表示パネル１０Ｃの画素電極１９としては反射部１５及
び透過部１６ともに一体形成されているものを用いた例を示した。しかしながら、この画
素電極１９は、反射部１５と透過部１６とで個別に形成し、両者を幅の狭い導電性の連結
部で接続した構成とすることも可能である。このような構成とすると、反射部の画素電極
と透過部の画素電極との間でも液晶分子の配向規制が行われるので、より広視野角の半透
過型液晶表示パネルが得られる。
【００４９】
以上、本発明の実施例として半透過型液晶表示パネルを説明した。この半透過型液晶表
示パネルは、パーソナルコンピュータ、携帯電話機、携帯情報端末などの電子機器に使用
することができる。このうち、パーソナルコンピュータ及び携帯電話機に使用した例を図
７に示す。
【００５０】
なお、図７Ａは本発明の半透過型液晶表示パネル４１を搭載したパーソナルコンピュー
タ４０を示す図であり、図７Ｂは本発明の半透過型液晶表示パネル４６を搭載した携帯電
話機４５を示す図である。これらのパーソナルコンピュータ４０及び携帯電話機４５の基
本的構成は当業者に周知であるので、詳細な説明は省略する。
【図面の簡単な説明】
【００５１】
【図１】半透過型液晶表示パネルのアレイ基板の平面図である。
【図２】実施例１の半透過型液晶表示パネルのカラーフィルタ基板側から見た平面図である。
【図３】図２のIII−III線に沿った断面図である。
【図４】図２のIV−IV線に沿った断面図である。
【図５】実施例２の半透過型液晶表示パネルのカラーフィルタ基板側から見た平面図である。
【図６】実施例３の半透過型液晶表示パネルのカラーフィルタ基板側から見た平面図である。
【図７】図７Ａは本発明の半透過型液晶表示パネルを搭載したパーソナルコンピュータを示す図であり、図７Ｂは同じく携帯電話機を示す図である。
【図８】従来のＶＡ方式の半透過型液晶表示パネルにおける反射部と透過部の境界付近の模式断面図である。
【符号の説明】
【００５２】
１０Ａ〜１０Ｃ：半透過型液晶表示パネル  １１：透明基板  １２：走査線  １３：信号
線  １５：反射部  １６：透過部  １７：層間膜  １８：反射板  １９：画素電極  ２２
：垂直配向膜  ２３：補助容量線  ２４：補助容量電極、２５：透明基板  ２６１：カラ
ーフィルタ層  ２６２：フィルタ層  ２７：トップコート層  ２８：共通電極  ２９：垂
直配向膜  ３０１〜３０４ブラックマトリクス  ３１：液晶  ３２：スリット  ３３１、
３３２：配向規制手段
【図１】
2009008876.tif 000003
【図２】
2009008876.tif 000004
【図３】
2009008876.tif 000005
【図４】
2009008876.tif 000006
【図５】
2009008876.tif 000007
【図６】
2009008876.tif 000008
【図７】
2009008876.tif 000009
【図８】
2009008876.tif 000010